(57)【要約】  トロイダル変速機において、複数の転動要素（２０、２２）が、それぞれの接触領域において入力及び出力レース（１０、１４）と駆動係合している。各転動要素（２０、２２）は、転動軸の周りで回転するようキャリッジ組立体（２６）上に装着され、傾転軸の周りで自在に枢動することができ、該傾転軸は、転動軸に垂直に転動要素（２０、２２）を通過して、ローラ中心にて転動軸と交差し、これにより傾転角の変化によってレースの回転速度比である変速機比の変化を引き起こす。傾転軸は、変速機軸線（Ｖ）に垂直な面（Ｐ）に対するキャスター角（図４を参照）として知られる角度にて配列される。各キャリッジ組立体（２６）は、ピッチ軸線（Ａ、Ｂ）の周りの回転成分を有する転動要素（２０、２２）の移動を引き起こすことができる。転動要素（２０、２２）の傾斜により、これらが傾転し、これにより変速比が変化することになる。【選択図】      図１
2015505020.tif 000002
【特許請求の範囲】
【請求項１】
変速機であって、
変速機軸線の周りに回転するよう同軸に装着され、間にトロイダルキャビティが定められる入力面及び出力面と、
前記入力面及び出力面の間に配置され、それぞれの接触領域において前記入力面及び出力面と駆動係合する複数の転動要素であって、前記各転動要素が転動軸の周りで回転するようキャリッジ組立体上に装着され、前記各転動要素が傾転軸の周りで自在に枢動することができ、前記傾転軸が、前記転動軸に垂直に前記転動要素を通過してローラ中心にて前記転動軸と交差し、これにより傾転角の変化によってレースの回転速度比である変速機比の変化を引き起こす前記複数の転動要素と、を有し、
前記各キャリッジ組立体が、ピッチ軸線の周りの枢動を引き起こすことができ、その結果前記転動要素のピッチ角の変化をもたらし、前記ピッチ軸線が前記ローラ中心及び前記接触領域を通過し、
前記変速機が更に、
前記キャリッジ組立体それぞれが前記枢動を行わせてピッチ角を変化させ、前記複数の転動要素に前記傾転軸の周りで枢動を行わせて、これにより変速機比の変化をもたらすようにするよう動作可能な制御部材と、
前記トロイダルキャビティ内で前記転動要素からの反力トルクを担うように前記複数の転動要素に動作可能に連結される反力部材と、を有する、変速機。
【請求項２】
前記転動要素と前記入力面及び出力面との間の駆動係合がトラクション流体を通じて行われる、請求項１に記載の変速機。
【請求項３】
前記反力トルクが、前記制御部材から分離された前記反力部材によって担われる、請求項１〜２の何れか１項に記載の変速機。
【請求項４】
前記反力部材が、前記各転動要素の中心に枢動可能に連結される、請求項１〜３の何れか１項に記載の変速機。
【請求項５】
前記反力部材は、前記キャリッジ組立体が前記枢動に制約されるように前記転動要素に連結される、請求項４に記載の変速機。
【請求項６】
前記反力部材が、前記変速機軸線に対して半径方向に移動可能であり、任意選択的に、前記反力部材が前記トロイダルキャビティ内で前記各転動要素によって生成される反力荷重を平衡にするように非半径方向で移動可能である、請求項１〜５の何れか１項に記載の変速機。
【請求項７】
前記反力部材の移動を減衰させるダンパーを備える、請求項１〜６の何れか１項に記載の変速機。
【請求項８】
前記反力部材が、前記変速機軸線に対して半径方向での前記反力部材の移動を制限する機械的な端部ストップを含む、請求項１〜７の何れか１項に記載の変速機。
【請求項９】
前記反力部材が、ディスク・転動要素の接触から生じて変速機比を変化させる反力トルクに応答して前記変速機軸線の周りで回転するよう装着される、請求項１〜８の何れか１項に記載の変速機。
【請求項１０】
前記反力部材が、所定レベルを上回る反力トルクに応答して前記変速機軸線の周りで回転するよう装着される、請求項１〜９の何れか１項に記載の変速機。
【請求項１１】
前記反力部材とローラキャリッジ中心との間の界面が、前記変速機軸線に対する半径方向揺動を有する、請求項１〜１０の何れか１項に記載の変速機。
【請求項１２】
前記反力部材が、前記変速機軸線の方向で揺動を有する、請求項１〜１１の何れか１項に記載の変速機。
【請求項１３】
反力トルクに応答して前記反力部材を付勢することができる弾性手段を備える、請求項１〜１２の何れか１項に記載の変速機。
【請求項１４】
前記各キャリッジ組立体が、前記転動要素それぞれの中心を通る軸線の周りに枢動するように装着され、前記キャリッジが円弧を描く湾曲運動をするように前記軸線から半径方向に離れた作動点にて作動される、請求項１〜１３の何れか１項に記載の変速機。
【請求項１５】
前記各作動点が、前記変速機軸線に平行な方向で前記トロイダルキャビティの中心面からオフセットしている、請求項１４に記載の変速機。
【請求項１６】
前記各転動要素に対するキャスター軸が前記転動要素の中心及びその作動点を通って延びる、請求項１５に記載の変速機。
【請求項１７】
前記各キャリッジ組立体が、ｉ）作動点の周りで前記制御部材との連結によって、及びｉｉ）前記転動要素の回転中心に作用する第２の反力点又は前記中心と前記転動要素からのトルクを担う作動点との間にある点における連結によって、前記枢動に制約される、請求項１〜１６の何れか１項に記載の変速機。
【請求項１８】
前記各転動要素及びそれぞれのキャリッジ組立体が共に、入力面、出力面、作動点、及び反力点にある４つの接点を有し、前記転動要素が前記トロイダルキャビティ内でその接点の位置に拘束されるようになる、請求項１〜１７の何れか１項に記載の変速機。
【請求項１９】
前記制御部材が、並進移動によって作動を提供するよう適合される、請求項１〜１８の何れか１項に記載の変速機。
【請求項２０】
前記制御部材が、前記変速機軸線に平行且つ前記入力面及び出力面の大きい方の周辺に接線方向の円筒面の半径方向外向きの位置にて前記キャリッジ組立体を作動させる、請求項１〜１９の何れか１項に記載の変速機。
【請求項２１】
前記キャリッジ組立体それぞれが同時に作動する、請求項１〜２１の何れか１項に記載の変速機。
【請求項２２】
前記キャリッジ組立体それぞれに対するアクチュエータを備える、請求項１〜２１の何れか１項に記載の変速機。
【請求項２３】
前記キャリッジ組立体が装着される単一の制御部材を備える、請求項１〜２２の何れか１項に記載の変速機。
【請求項２４】
前記制御部材が、固定部と、該固定部に動作可能に連結された可動部とを含み、該可動部が前記変速機軸線に垂直な面で移動可能である、請求項１〜２３の何れか１項に記載の変速機。
【請求項２５】
前記制御部材の固定部が、それぞれのキャリッジに各々対応する複数の弓形スロットを含み、前記キャリッジ組立体が、前記キャリッジが前記枢動に拘束されるように前記それぞれのスロットに沿って前記キャリッジ組立体の滑動係合のための係合部を含む、請求項２４に記載の変速機。
【請求項２６】
前記各キャリッジ組立体が前記制御部材に連結されたステムを含む、請求項１〜２５の何れか１項に記載の変速機。
【請求項２７】
前記制御部材が、前記変速機軸線の半径方向に移動可能であり、任意選択的に、前記制御部材が前記トロイダルキャビティ内で前記各転動要素によって生成される反力荷重を平衡にするように非半径方向で移動可能である、請求項１〜２６の何れか１項に記載の変速機。
【請求項２８】
前記制御部材が、前記変速機軸線を通過する平面の同じ側で前記複数の転動要素に動作可能に連結される、請求項１〜２７の何れか１項に記載の変速機。
【請求項２９】
前記トロイダルキャビティが２つを超えない転動要素を収容する、請求項１〜２８の何れか１項に記載の変速機。
【請求項３０】
２０Ｗよりも小さい出力を有する、制御部材を作動させる動力手段を備える、請求項１〜２９の何れか１項に記載の変速機。
【請求項３１】
前記ピッチ軸線の周りの前記キャリッジの移動が、前記変速機の１又はそれ以上の構成要素による前記ピッチ軸線の周りの回転ではない移動によって引き起こされる、請求項１〜３０の何れか１項に記載の変速機。
【請求項３２】
前記ピッチ軸線の周りの前記キャリッジの移動が、前記ピッチ軸線と一致しない構成要素の回転移動のみが付随して起こる、請求項１〜３１の何れか１項に記載の変速機。
【請求項３３】
前記ピッチ軸線の周りの前記各キャリッジの移動が、単一の並進入力によって達成される、請求項１〜３２の何れか１項に記載の変速機。
【請求項３４】
前記並進入力が、前記キャリッジ反力に実質的に垂直である、請求項３３に記載の変速機。
【請求項３５】
前記ピッチ軸線の周りの前記各キャリッジの移動が、前記変速機の全てのローラキャリッジに対する単一アクチュエータを用いて達成される、請求項１〜３４の何れか１項に記載の変速機。
【請求項３６】
前記変速機がフルトロイダル変速機である、請求項１〜３３の何れか１項に記載の変速機。
【請求項３７】
第２の入力面及び第２のトロイダルキャビティを定める第２の対面出力面と、
前記第２の入力面及び前記第２の出力面の間に配置され、前記第２の入力面及び前記第２の出力面と駆動係合する第２の複数の転動要素であって、前記各転動要素が、それぞれのキャリッジ組立体上で回転可能に装着され、前記転動要素の中心を通る軸線の周りで傾転して変速機比を変化させることができ、前記各転動要素が、枢動するよう装着されて、その結果、前記転動要素の回転軸に垂直で且つ比変化軸に垂直な前記転動要素の中心を通る軸線の周りで前記転動要素が傾斜するようになる前記複数の転動要素と、
前記転動要素それぞれを傾斜させ、その結果傾転角の変化及び変速機比の変化をもたらすように前記各キャリッジ組立体を作動させる制御部材と、
第１のキャビティにおいて前記複数の転動要素に動作可能に連結された第１の反力部材と、第２のキャビティにおいて前記第２の複数の転動要素に動作可能に連結された第２の反力部材と、を有し、
前記第１の反力部材及び前記第２の反力部材が、前記転動要素それぞれから生じる反力荷重を担うようになる、請求項１〜３６の何れか１項に記載の変速機。
【請求項３８】
前記反力部材からの反力トルクが平衡になるように前記第１及び第２のキャビティの反力部材に動作可能に連結された荷重分散組立体を更に備える、請求項３７に記載の変速機。
【請求項３９】
請求項１〜３８の何れか１項に記載の変速機を組み込んだ、エンジンから補機に駆動力を伝達するための駆動装置。
【請求項４０】
内燃エンジン用の過給装置であって、
回転駆動入力を有する過給機と、
内燃エンジンからの駆動力を受け取る回転駆動入力及び前記過給機の入力に接続された回転駆動出力を有する変速機と、
を備え、前記変速機が、該変速機の入力と出力との間に動作可能に接続された請求項１〜３７の何れか１項に記載の変速機を含む、内燃エンジン用の過給装置。
【請求項４１】
前記変速機が、入力からの動作比で駆動される出力と、前記変速機の動作比を設定するよう動作する制御手段とを有する、請求項４０に記載の過給装置。
【請求項４２】
前記変速機が、２つのローラを含む単一キャビティを有する、請求項４０又は４１に記載の過給装置。
【請求項４３】
前記変速機が、遊星歯車列を含む、請求項４０〜４２の何れか１項に記載の過給装置。
【請求項４４】
前記遊星歯車列が、牽引駆動遊星歯車列である、請求項４３に記載の過給装置。
【請求項４５】
前記遊星歯車列が、前記変速機とトラクション流体を共有する、請求項４４に記載の過給装置。
【請求項４６】
前記過給機が、遠心式過給機である、請求項４０〜４５の何れか１項に記載の過給装置。
【発明の詳細な説明】
【技術分野】
【０００１】
本発明は、変速機（バリエータ）に関する。より具体的には、本発明は、機械的変速システムの構成要素である変速機に関する。
【背景技術】
【０００２】
本明細書において、変速機は、２つの回転可能要素を相互接続させ、これにより回転時にこの２つの回転可能要素がある比（「変速機比」と呼ばれる）によって互いに関連する回転速度を有し、この比は、最小変速機比と最大変速機比の間を実質的に無段で変化することができる変速機の構成要素である。
【０００３】
フルトロイダル変速機
一連の変速機は、「フルトロイダル」変速機として公知である。フルトロイダル変速機において、各回転可能要素は変速機内のそれぞれのレースに接続され、各回転可能要素がそのレースと共に回転するよう固定され、また、レースが共通軸線（「変速機軸線」）の周りを回転するようになっている。各レースは作動面を有し、各作動面は、変速機軸線に平行な方向で対面するように配列される。各作動面内には、変速機軸線と同軸に弓形断面の環状凹部が形成される。この凹部は、変速機軸線に対して実質的に同じ半径（「トロイダル半径」）のものであり、これら凹部の断面が共通の仮想円上にあるように配列され、その仮想円の平面が変速機軸線と交差し、仮想円の中心が作動面に平行且つ作動面間に等間隔に配置された面（「中心面」）内にある。仮想円を変速機軸線の周りに延ばすことにより、仮想トーラスが描かれ、作動面がトーラスの対向する境界領域を占める。従って、レースの作動面間のスペースは、「トロイダルキャビティ」と呼ばれる。
【０００４】
トロイダルキャビティ内には複数の転動要素が設けられる。各転動要素は、２つのレースのそれぞれの作動面と接触する（以下で検討する条件に従って）転動面を有する。各転動要素は、それぞれのキャリッジにおいて担持され、転動面の中心となる転動軸の周りでキャリッジに対して回転できるようになっている。
【０００５】
キャリッジに対するレース（本明細書では「入力レース」と呼ぶ）のうちの一方のレースの回転により、各転動要素が回転するようになり、またこれにより、入力レースの回転と反対方向に他方のレース（本明細書では「出力レース」と呼ぶ）にトルクが加わるようになる。加えられたトルクに応答して出力レースが回転できるようになる場合、出力レースは、入力レースの回転とは反対方向に回転することになる。このような回転中、各転動要素は、それぞれの作動面上で描かれるそれぞれの円形接触軌跡の周りで入力レース及び出力レースと接触することになる。これら２つの軌跡が同じ半径（軌跡の半径は、一般に「接触半径」と呼ばれる）である場合、出力レース及び入力レースは、同じ回転速度（反対方向ではあるが）を有することになる。しかしながら、入力レースの接触半径（「入力半径」）が出力レースの接触半径（「出力半径」）と等しくない場合、出力レースの速度は、入力レースの速度よりも大きいか又は小さくなる。一般に、変速機比は、入力半径と出力半径の比に等しくなる。
【０００６】
各キャリッジは、転動軸が移動して入力及び出力半径を変えることができるように構成され、この移動は「傾転」と呼ばれている。少なくとも変速機が平衡状態で作動中であるときには、入力及び出力半径は、トロイダル半径の周りに対称的に配置される。
【０００７】
上記の説明では、作動面と転動要素との間の接触に言及している。しかしながらこれは簡素化されている。トロイダル変速機のほとんどの実施形態は、トラクション（牽引）駆動力を用いて作動する。換言すると、作動面及び転動要素は、トラクション流体中に少なくとも部分的に浸漬される。これは、圧力が閾値を超えたときに急激に増大する粘度を有するという性質がある。レースが回転すると、トラクション流体が、転動要素及び作動面間に形成されるニップ内に引き込まれて、転動面と作動面との間にトラクション流体の薄い層を生成し、よって文字通りこれらの間に接触が存在しない。十分なトラクション駆動力を得るために、レースを変速機軸線に沿って互いに向けて付勢する端部荷重が加えられる。端部荷重は、作動面と転動面との間の界面で適切なトラクションを生成するのに十分な荷重であるが、変速機の効率及び耐久性を損なう程ではない荷重を提供する要件の平衡をとるよう最適化される。多くの実施形態において、レースは、端部荷重に応答して変速機軸線に沿って僅かな移動を生じることができる。しかしながら、変速機はまた、作動面と転動要素との間の摩擦駆動力を用いて具現化することができ、本発明は、あらゆる内部駆動構成を用いた実施形態に適用することができる。
【０００８】
上述のフルトロイダル変速機の一般的構成の範囲内で、キャリッジの制御、装着、及び移動の自由度、レースの数及び構成、転動要素の数及び構成などに関して極めて多くの変形形態が実施可能である。
【０００９】
上述の変速機の１つの実施形態において、各転動要素は、互いに接触した状態にある２つの転動要素の列で置き換えられる。従って、各転動要素は、１の作動面と、及び他の転動要素と接触状態にある。この構成は、上述の構成と比べて幾つかの利点と幾つかの欠点とを有するが、ここではこれらを検討しない。この修正形態を組み込んだ変速機において、両方のレースが変速機軸線の周りで同じ方向に転回している点に留意されたい。
【００１０】
レースを定義するための用語「入力」及び「出力」の使用は、これらの構成要素に関する機能的又は構造的限定として解釈すべきではなく、これらは単に標識に過ぎない。変速機は、完全に対称的作動とすることができる。これらは通常、特定の文脈において簡潔で分かりやすい説明を提供するよう選ばれることになる。例えば、車両用変速機の場合、入力は通常は原動機に接続され、出力は通常、最終駆動システムに接続され、変速機を通る標準的な動力方向を示すことになる。しかしながら、車両がオーバーラン状態にあるときには、実際には、エンジンブレーキにより変速機の出力から入力に動力が導かれるようになることは理解されるであろう。
【００１１】
本明細書の残りの部分において、用語「変速機」は、文脈上他の意味を示さない限り、上述のフルトロイダル変速機を指す。
【００１２】
変速機の制御
変速機を制御するのに使用される主要な２つの方式、トルク制御と比制御がある。
【００１３】
トルク制御は、変速機の特性から生じる特徴に依存するので、多速度変速機において直接相当するものは存在しない。トルク制御は、図１〜３に関連する国際特許公開第２０１０／０７０３４１号の部品を含む、多くの公報において記載されており、本発明の理解を可能にするのに必要とされる概要のみをここで説明する。
【００１４】
トルク制御は、幾つかの設計特徴を有する変速機に依存する。
・各キャリッジは、中心面に対して僅かな角度で傾斜した反力軸の周りの回転自由度を有する。
・各キャリッジは、アクチュエータにより加えられる力に抗して反力軸に沿って軸方向に移動することができる。
【００１５】
これらの要件の第１は、トルク制御下にある間に傾転角がアクチュエータにより直接制御されないことを意味する点に留意されたい。
【００１６】
各レースは、作動面に接線方向で作用する力を各転動要素に加える。従って、各アクチュエータにより等しく且つ対向する接線方向の力が提供されて、対応する転動要素の転動軸を反力軸に沿って固定して維持されなければならない。アクチュエータにより加えられる力が変化した場合、キャリッジに作用する力が不平衡となり、よって転動軸が移動することになる。変速機の幾何形状は、反力軸に沿った移動時に反力軸の周りに連結が生成され、これによりキャリッジが回転するように構成される。これは、キャリッジに作用する力の不均衡を低減するように、傾転角、従って変速機比を変化させる。従って、キャリッジは、力が均衡状態に戻る新しい傾転角に向かって移動する。変速機の幾何形状に起因して、キャリッジ組立体は、反力軸に沿って移動して、傾転軸の周りで回転し、入力及び出力レースの速度の比に対応するようになる。
【００１７】
比制御は、複数の離散的な間隔を置いた比で変速機の制御に対する最も近い類似性を担う。比制御構成においてローラ及びキャリッジの変位は、ロータキャリッジが受ける反力に応答しない手段により制御される。比制御の基本的作動原理は、制御システムが、所望の動作条件を達成するのに必要な変速機比を決定付け、アクチュエータを作動させて、目標比を達成するのに必要な角度まで転動軸が直接傾転するようにキャリッジを移動させることである。
【先行技術文献】
【特許文献】
【００１８】
【特許文献１】国際特許公開第２０１０／０７０３４１号
【発明の概要】
【発明が解決しようとする課題】
【００１９】
本発明の目的
他の移動なしでキャリッジの傾転を直接変化させることにより比制御を達成しようとする場合、１つの副次的な影響は、転動要素と作動面との間の接触点が作動面にわたって半径方向に移動することである。これは、想起されるように、高度に粘性のある接触点の領域においてトラクション流体を剪断することによってのみ達成することができる。従って、このような直接制御作動を達するためにアクチュエータに供給しなければならない動力レベルは甚大で、必要とされる力及びストロークを提供するための高コストの作動機構が必要となる可能性がある。本発明の目的は、低作動力を用いて、従って低コストのアクチュエータを必要とする転動要素の制御を可能にする構成を提供することである。
【課題を解決するための手段】
【００２０】
この目的を達成するため、本発明は、変速機を提供し、該変速機は、変速機軸線の周りに回転するよう同軸に装着され、間にトロイダルキャビティが定められる作動面を各々有する入力レース及び出力レースと、作動面の間に配置され、それぞれの接触領域において作動面と駆動係合する複数の転動要素と、を備え、各転動要素が転動軸の周りで回転するようキャリッジ組立体上に装着され、各キャリッジが傾転軸の周りで自在に枢動することができ、該傾転軸が、転動軸に垂直に転動要素を通過してローラ中心にて転動軸と交差し、これにより傾転角の変化によってレースの回転速度比である変速機比の変化を引き起こし、各ローラキャリッジ組立体が枢動を引き起こすことができ、その結果転動要素のピッチ角の変化をもたらし、ピッチ角が、ローラ中心を通るピッチ軸線の周りにあり且つ接触領域を通過し、変速機が更に、ローラキャリッジそれぞれが枢動を行わせてピッチ角を変化させ、複数の転動要素に傾転軸の周りで枢動を行わせて、これにより変速機比の変化をもたらすようにするよう動作可能な制御部材と、トロイダルキャビティ内で転動要素からの反力トルクを担うように複数の転動要素に動作可能に連結される反力部材と、を備える。
【００２１】
ピッチ軸線が接触領域を通過する構成により、ピッチ軸線の周りの回転又は回転成分が、接触点におけるディスクに対する回転方向の変化を含み、接触半径の大きな変化を含まないことが確保される。従って、必然的に変速機比の大きな変化を引き起こさず、作動面にわたる接触領域の有意な並進移動を引き起こさず、これによりピッチ角の変化時に行う必要のある動作が最小限になる。このことは、低出力のアクチュエータを必要とする低い作動力を用いて変速機比の変更を行うことを可能にし、従って、低コストである。
【００２２】
ピッチ角を変更する作用は、転動要素の転動面と入力又は出力作動面との間の接触面を考察することにより理解することができる。接触面の中心における作動面上の点は、変速機軸線に接線方向の速度で移動していなければならない。ピッチ角が０であり、転動要素の傾転角が０（変速機比が−１．０に相当）である場合、接触面の中心における転動面上の点はまた、変速機軸線に接線方向の速度で移動していることになる。しかしながら、ピッチ角の変更は、転動面上の点の速度ベクトルを回転させる作用があり、変速機軸線に向かう又は変速機軸線から離れる方向の成分が増大することになる。その結果、これは、転動面に作用する力を生じさせ、ピッチ角を低減する傾向にある方向で転動要素の傾転の変化を引き起こす。従って、転動要素は、新しい平行傾転角に漸近的に近づくよう傾転することになる。
【００２３】
反力部材を設けることは、制御部材により反力荷重を担う必要が無いことを意味している。これにより制御部材の設計及び実装の自由度を大きくすることができる。詳細には、この構成により、制御部材の荷重を最小にし、制御部材を作動させるのに必要な出力を低減することができる。通常、反力部材及び作動部材は、共通部品を有しておらず、反力トルク又は反力の経路中に作動部材の要素が存在しない。
【００２４】
反力部材は、好ましくは、制御部材とは完全に独立して反力トルクを担う。
【００２５】
反力トルクは通常、制御部材から分離された反力部材によって完全に又は部分的に担われる。反力部材は、各転動要素の中心に枢動可能に連結することができる。反力部材は、キャリッジ組立体が枢動に制約されるように転動要素に連結することができる。好ましい構成において、反力部材は、変速機軸線の半径方向に移動可能であり、任意選択的に、反力部材がトロイダルキャビティ内で各転動要素によって生成される反力荷重を平衡にするように非半径方向で移動可能である。変速機は更に、変速機軸線に対して半径方向での反力部材の移動を減衰させるダンパーを含むことができる。反力部材は、変速機軸線に対して半径方向での反力部材の移動を制限する機械的な端部ストップを含むことができる。反力部材は、ディスク・転動要素の接触から生じて変速機比を変化させる反力トルクに応答して変速機軸線の周りで回転するよう装着することができる。例えば、反力部材は、所定レベルを上回る反力トルクに応答して変速機軸線の周りで回転するよう装着することができる。これは、反力トルクに応答して反力部材が付勢することができる弾性手段を備えた変速機で達成することができる。
【００２６】
各キャリッジ組立体は、それぞれの転動要素の中心を通る軸線の周りで枢動するよう装着することができ、任意選択的に、作動点を中心とした円弧を描く湾曲運動をするように軸線から半径方向に離れた作動点にて作動することができる。各作動点は、好ましくは、変速機軸線に平行な方向で変速機の中心面からオフセットしており、この場合、オフセットは通常、各転動要素と関連の作動面との間のキャスター角を決定付ける。
【００２７】
本開示の実施形態において、キャスター角は通常、１°〜４０°の範囲、より好ましくは、４°〜２０°の範囲にあり、典型的なトルク制御変速機によって望ましいとされるものよりも遙かに小さい。キャスター角が小さいことにより、制御部材が移動しなければならないストロークが減少し、従って、より低コストの作動システムが可能となる。
【００２８】
各キャリッジ組立体は、ｉ）作動点の周りで制御部材との連結によって、及びｉｉ）転動要素の回転中心に作用する第２の反力点又は中心と転動要素からのトルクを担う作動点との間にある点における連結によって枢動に制約させることができる。
【００２９】
各転動要素及びそれぞれのキャリッジ組立体が共に、入力面、出力面、作動点、及び反力点にある４つの接点を有し、転動要素がトロイダルキャビティ内でその接点の位置に拘束されるようになるが、転動要素は、転動要素の回転軸に垂直で且つ傾転軸にも垂直な軸線の周りで傾斜移動するよう装着され、変速機比を変化させるよう位置を自在に操舵することができる。制御部材は、並進移動による作動を提供するよう適合させることができる。
【００３０】
制御部材は、変速機軸線と同軸で且つ入力面及び出力面の大きい方の周辺に接線方向のシリンダの表面の半径方向外向きの位置にてキャリッジ組立体を作動させることができる。
【００３１】
それぞれのキャリッジ組立体は各々、同時に作動することができる。変速機は、各それぞれのキャリッジ組立体に対するアクチュエータを備えることができる。変速機は、キャリッジ組立体が装着される単一の制御部材を備えることができる。
【００３２】
制御部材は通常、固定部と、該固定部に動作可能に連結された可動部とを備え、可動部が変速機軸線に垂直な面で移動可能である。制御部材の固定部は、それぞれのキャリッジに各々対応する複数の弓形スロットを備えることができ、キャリッジ組立体が、キャリッジが枢動に拘束されるようにそれぞれのスロットに沿ってキャリッジ組立体の滑動係合のための係合部を含む。本発明の実施形態において、各キャリッジ組立体は、制御部材に連結されたステムを含む。
【００３３】
各キャリッジ組立体は、好ましくは、転動要素の転動軸が変速機軸線に垂直な面に傾斜するように装着され、これにより転動要素は、転動要素の中心と、転動要素の軸線から半径方向に配置された枢動点との間に定められる軸線の周りで自在に回転することができ、枢動点は、トロイダルキャビティの中心面から軸方向にオフセットしており、制御部材又は変速機が反力部材を備える場合には反力部材上の何れかに位置する。キャリッジ組立体は、長手方向似延びるキャリッジステムと、転動要素が回転可能に装着され且つステムの長手方向軸線の周りで回転可能なローラキャリアとを備えることができる。各転動要素は、転動要素の中心を通る枢動継手によりそれぞれのローラキャリア上に装着され、転動要素が歳差軸線の周りに自在に回転することができるようになる。
【００３４】
制御部材は、変速機軸線の半径方向に移動することができ、任意選択的に、トロイダルキャビティ内で各転動要素によって生成される反力荷重を制御部材が平衡にするように非半径方向で移動可能とすることができる。制御部材は、変速機軸線を通る平面の同じ側で複数の転動要素に動作可能に連結することができる。
【００３５】
典型的な実施形態において、トロイダルキャビティは、２つの転動要素を収容する。
【００３６】
ピッチ軸線の周りでの各キャリッジの移動は、好ましくは、単一の並進入力によって達成される。このような並進入力は、キャリッジ反力に実質的に垂直とすることができる。これにより、任意選択的に、作動部材によりキャリッジからの反力を効果的に担うことが可能となり、また任意選択的に、オフセットステムによりキャスター角を定めることが可能となる。並進入力は、変速機の全てのローラキャリッジに対してアクチュエータ、好ましくは単一のアクチュエータを用いて達成することができる。本発明を具現化する変速機は、２０Ｗよりも小さい、好ましくは１０Ｗよりも小さい、更により好ましくは５Ｗよりも小さい出力を有する、制御部材を作動させる動力手段を備えることができる。
【００３７】
本発明の好ましい実施形態において、ピッチ軸線の周りのキャリッジの移動は、変速機の１又はそれ以上の構成要素によるピッチ軸線の周りの回転ではない移動によって引き起こされる。例えば、ピッチ軸線の周りのこのようなキャリッジの移動は、ピッチ軸線と一致しない構成要素の回転移動のみが付随して起こることができる。
【００３８】
本発明の実施形態は、複数のトロイダルチャンバを有する変速機を提供するよう拡張することができる。例えば、本発明を具現化する変速機は、第２の入力面及び第２のトロイダルキャビティを定めるよう第２の入力面に面する第２の出力面と、第２の入力面及び第２の出力面の間に配置され、第２の入力面及び第２の出力面と駆動係合する第２の複数の転動要素と、を更に備え、各転動要素が、それぞれのキャリッジ組立体上で回転可能に装着され、転動要素の中心を通る軸線の周りで傾転して変速機比を変化させることができ、各転動要素が、枢動するよう装着されて、その結果、転動要素の回転軸に垂直で且つ比変化軸に垂直な転動要素の中心を通る軸線の周りで転動要素が傾斜するようになり、変速機は更に、転動要素それぞれを傾斜させ、その結果傾転角の変化と変速機比の変化とをもたらすように各キャリッジ組立体を作動させる制御部材と、第１のキャビティにおいて複数の転動要素に動作可能に連結された第１の反力部材と、任意選択的に第２のキャビティにおいて第２の複数の転動要素に動作可能に連結された第２の反力部材とを備え、第１の反力部材及び第２の反力部材が、転動要素それぞれから生じる反力荷重を担い、変速機は更に、反力部材からの反力トルクが平衡になるように第１及び第２のキャビティの反力部材に動作可能に連結された荷重分散組立体を備えることができる。
【００３９】
本発明の変速機は、補機に駆動力を提供するのに特に有用である。あらゆる既知の補機は、本発明の変速機を備えた駆動装置により駆動することができるが、本変速機は、過給機用の駆動構成システムにおいて特に恩恵がある。好適には、駆動力は、本発明による変速機を備えた連続可変変速機を含む駆動システムを通じて内燃エンジンから過給機に伝達される。この過給装置は、乗用車及び普通路上車両に特に応用される。過給機駆動装置における変速機の使用は、コスト、複雑性、及び重量を最小に抑えることを可能にする。
【００４０】
本発明は更に、内燃エンジン用の過給装置を提供し、該過給装置が、回転駆動入力を有する過給機と、内燃エンジンからの駆動力を受け取る回転駆動入力及び過給機の入力に接続された回転駆動出力を有する変速機と、を備え、変速機が、該変速機の入力と出力との間に動作可能に接続された本発明による変速機を含む。
【００４１】
変速機は、好適には、入力からの動作比で駆動される出力と、変速機の動作比を設定するよう動作する制御手段とを有する。１つの実施形態において、変速機は、２つのローラを含む単一キャビティを有する。
【００４２】
好適には、変速機は遊星歯車列を含む。好ましくは、遊星歯車列は、牽引駆動遊星歯車列である。好ましい実施形態において、遊星歯車列は、変速機とトラクション流体を共有する。
【００４３】
過給機は、何らかの既知のタイプとすることができる。好ましくは、過給機は、遠心式過給機である。
【００４４】
次に、本発明の実施形態について添付図面を参照しながら詳細に説明する。
【図面の簡単な説明】
【００４５】
【図１】本発明の特徴要素を組み込んだ変速機の一部の斜視図である。
【図２】図１に示す変速機の一部の制御組立体の図である。
【図３】図１に示す変速機の一部の平面図である。
【図４】図１に示す変速機の一部の側面図である。
【図５】反力部材を含む本発明の実施形態の変速機の一部の斜視図である。
【図６】反力部材を含む本発明の実施形態の変速機の一部の部分切り欠き図である。
【図７】キャビティ間の反力トルクを平衡するための荷重分散組立体を備えた２連キャビティを有する本発明の第２の実施形態の変速機の一部の斜視図である。
【図８】キャビティ当たりに３つのローラとキャビティ間の反力トルクを平衡するための荷重分散組立体とを備えた２連キャビティを有する本発明の第４の実施形態の変速機の一部の斜視図である。
【図９】図８の変速機の軸方向図である。
【図１０】図８の変速機の平面図である。
【図１１】反力部材及びトルク検知要素を含む本発明の第５の実施形態の変速機の一部の斜視図である。
【図１２】トルクが反作用している、図１１に示す変速機の一部の斜視図である。
【発明を実施するための形態】
【００４６】
実施形態に関する説明を読む際には、本明細書の導入部において記載した用語、説明、及び定義に適切に留意すべきである。
【００４７】
図１〜４は、本発明を具現化した変速機（バリエータ）の動作原理のうちの多くを用いた変速機の一部の様々な図を示している。変速機は、ほぼ環状の形状をした入力レースを備える。入力レース１０は、入力レース１０の作動面を提供するために弓形断面の環状凹部１２が形成されて内側表面を有する。変速機は更に、図４に破線で示され、入力レース１０と実質的に同様である出力レース１４を備える。入力レース１０及び出力レース１４は、変速機軸線Ｖ上に同軸に配置され、これらの作動面が互いに対面し、従って、これらの作動面によって境界付けられるレース１０、１４間にトロイダルキャビティを形成する。レース１０、１４の各々は、変速機軸線Ｖの周りを回転するよう装着される。この場合は好適に輪郭が付けられた外側転動面を有する略円筒ローラ２０、２２の形態のである転動要素は、トロイダルキャビティ内で作動するように配置される。この実施形態において、２つのこのようなローラが存在するが、代替として、より多くの数を設けることができることは理解されるであろう。
【００４８】
各ローラ２０、２２は、それぞれローラキャリッジ組立体２４、２６上に装着される。各ローラキャリッジ組立体２４、２６は、ステム２８、３０及びフォーク３２、３４を含む。各フォーク３２、３４は、それぞれのローラ２０、２２を担持し、該ローラ２０、２２が軸受上で回転して中心を通って延びる転動軸の周りで回転するようにすることができる。各ローラ組立体２４、２６内では、各フォーク３２、３４は、転動軸に垂直なそれぞれの傾転軸の周りにステム２８、３０上で回転することができる。
【００４９】
各キャリッジ組立体２４、２６は、ステム２８、３０の傾転軸が図４に示すように平面Ｐに対して傾斜しているように装着される。平面Ｐは、図４に示すように、キャスター角として知られる角度「α」で変速機軸線に垂直である。各ローラ２０、２２は、ステム２８、３０の長手方向軸線であり、ローラ２０、２２の中心を通るそれぞれの傾転軸の周りで自在に枢動し、換言すると、キャスター角は、変速機の傾転軸と中心面との間の角度である。
【００５０】
入力レース１０は、ローラ２０、２２によって駆動され、また、レース間で駆動係合したローラ２０、２２を通じて出力レース１４に駆動力を伝達する。
【００５１】
変速機は、支持部４４上に担持されるスライダー４２を備えた制御組立体４０を含む。スライダー４２は、固定部分４４に対して線形往復移動するように適合される。ペグ４６は、支持部４４からスライダー４２内のスロット４８を貫通して突出し、支持部上でのスライダー４２の移動範囲を制限するストップ部として機能するようになる。制御組立体４０は、並進移動により変速機の作動を制御するように適合される。スライダー４２は、変速機軸線に垂直な平面内で支持部４４に沿って矢印Ｃで示される方向に前後に移動することができる。この実施形態において、スライダー４２は、変速機軸線Ｖに平行で且つ入力レース１０及び出力レース１４の大きい方の周辺に接線方向にある円筒平面の半径方向外向きの位置にて各ローラキャリッジ組立体２４、２６に接続される。代替の実施形態において、キャリッジ組立体２４、２６は各々、固有のアクチュエータによって作動することができる。支持部４４は、変速機軸線Ｖに垂直な変速機の中心面に対しキャスター角αで各々が傾斜した反力面５０、５２を有する。
【００５２】
制御組立体４０は、作動継手５６、５８によりキャリッジ組立体２４、２６に動作可能に接続される。作動継手５６、５８は、ステム２８、３０がスライダー４２に対して枢動可能にしながら、各ステム２８、３０の各部分をスライダー４２と共に線形的に移動するよう拘束する。単一の制御組立体４０は、キャリッジ組立体２４、２６の両方を一体となって制御する。キャリッジ組立体２４、２６はまた、それぞれの反力点にて制御組立体４０に連結される。各反力点は、支持部４４のそれぞれの反力面５０、５２に延びる弓形スロット６０、６２を含む。キャリッジ組立体２４、２６の各々のステム２８、３０は、それぞれの弓形スロット内に延びる突出する反力ピン６４、６６を担持し、該スロットには、スロット６０、６２において各反力ピン６４、６６の自由な滑動係合を可能にするほど十分な緊密滑り嵌めがある。ステムは、スロットとの円滑な係合及び転動係合を提供するようなローラを備えることができる。
【００５３】
（代替の実施形態において、弓形スロットは、ステム２８、３０に垂直に配列することができ、該ステムは、スロットを貫通し、該スロットと協働してローラキャリッジを位置付ける係合部を形成する）。
【００５４】
各ローラ２０、２２及びそのキャリッジ組立体２４、２６は、全体で変速機との４つの接触点を有し、すなわち、入力レースの作動面及び出力レースの作動面でのローラ２０、２２間の接点、作動継手５８、５８における制御組立体４０との接点、及び反力ピン６４、６６及びそのそれぞれのスロット６０、６２を通る反力点を有する。各キャリッジ組立体２４、２６は、制御組立体４０との２つの接点によって、及びローラと入力及び出力レースの作動面との間の接点によってトロイダルキャビティ内に位置付けられる。これらの接点は、キャリッジ組立体２４、２６が枢動移動して、ローラ２０、２２の中心を通り且つスライダー４２の移動平面に垂直なそれぞれの操舵軸Ａ−Ａ’、Ｂ−Ｂ’の周りのピッチ角を変化させることができるように、キャリッジ組立体２４、２６が装着されることを意味している。操舵軸は、キャリッジ組立体の傾転軸に垂直である。キャリッジ組立体キャリッジ組立体２４、２６は、ローラ枢動軸から半径方向に離れて位置する作動継手５６、５８を通って作動され、キャリッジ組立体２４、２６が軸線Ａ−Ａ’、Ｂ−Ｂ’を中心とした円弧を描く湾曲運動をするようになる。ローラは、スロット３３、３４との係合部１４、２４の係合によって誘導される。ローラキャリッジ１０、２０は、反力点の周りのスロット６０、６２における反力ピン６４、６６の連結による枢動移動に制約される。この構成によって、ローラ２０、２２からの反力トルクを担うことができる。
【００５５】
スライダー４２が移動したときに生じるキャリッジ組立体の枢動は、傾転軸（すなわち、ローラの中心を通り変速機軸線Ｖと平行な軸）の周りの回転成分をローラ２０、２２に与える。枢動はまた、傾転軸に垂直な軸（比変化軸とも呼ばれる）の周りの回転成分を与える。この回転により、各ローラ２０、２２がその傾転を変更して速度比を変化させることが可能になり、入力面及び出力面からの接触力を瞬間的に生じることができる。歳差軸の周りを回転できるようにフォーク３２、３４においてローラ２０、２２を装着することにより、ローラ２０、２２が、平衡に達するための最小抵抗の経路を見つけ出して変速機比を変化させることができるようになる。このように、キャリッジ組立体の枢動と傾転軸の周りの自由度とを組み合わせることで、ローラは、傾転運動を受けて変速機速度比の変更を自由行うことができる。従って、ローラ２０、２２は、変速機軸線に平行な軸の周りの傾斜による作動力に応答して操舵（すなわち、傾転を変化させ）し、これらの位置を変更して変速機の速度比を変えることができる。ローラの傾転及び従って変速機比を変化させる働きをするあらゆる成分を最小限にする最適枢動移動を得るために、スロット６０、６２は、変速機軸線に垂直な平面上に形状が突出したときに変速機軸線上に中心をなす弓形であるように形成される。
【００５６】
別の実施形態において、各キャリッジ組立体は、単独でステムを備え、ローラは、ジンバルによってステムの端部上に装着される。この構成において、各ローラ２０、２２は、傾転軸の周りを自由に傾転できるように、ローラ中心を通る枢動継手によりそれぞれのキャリッジ組立体上に装着される。ステムは、変速機の中心面Ｐに適切に位置し、ジンバル構成により、ローラ２０、２２が自在に傾転できるようなキャスター角及び自由度が提供される。
【００５７】
図５及び６は、図１〜４の実施形態の動作原理のうちの多くを組み込んだ変速機の一部を示している。この変速機は、入力レース１１０と出力レース（図示せず）との間で駆動力を伝達するローラ１２０、１２２に動作可能に連結された反力部材１６０を含む。反力部材の目的は、ローラ１２０、１２２からの反力トルクを担うことである。ローラ１２０、１２２は、キャリッジ組立体１６２、１６４に装着される。各キャリッジ組立体は、キャリア１６６、１６８及び装着部品１７０、１７２を備える。各ローラ１２０、１２２は、それぞれのキャリア１６６、１６８上でその軸の周りに回転するよう担持される。各キャリア１６６、１６８は、それぞれの装着部品１７０、１７２に枢動可能に接続される。
【００５８】
各装着部品１７０、１７２は、制御部材１７４に沿った線状移動が阻止されるように細長制御部材１７４上に担持される。制御部材１７４は、方向Ｃで直線往復動で移動することができ、これにより装着部品１７０、１７２も方向Ｃで移動するようになる。（この実施形態において、制御部材は、図１〜４に示すスロット構成を備えた可動部品及び固定部品を含まない）。各キャリッジ組立体は、装着部品１７０、１７２と制御部材１７４との間の接続によって、及び反力部材１６０との接触によるローラ１２０、１２２の中心での反力点によりトロイダルキャビティ内に位置付けられる。この実施形態において、反力トルクは、制御部材１７４によってではなく反力部材１６０によって担われる。
【００５９】
反力部材１６０は、アパーチャ１８２を有する本体１８０を備え、このアパーチャを通って変速機入力シャフト及び／又は出力シャフトがクリアランスを有して通ることができる。反力シャフト１８４、１９０は、本体１８０から反対の方向に同軸で突出し、変速機の中心面内で変速機軸線に垂直に整列される。各反力シャフト１８４、１９０の末端部分は、変速機のケーシング１００及びケーシング１００に固定された装着ブロック１９４内にそれぞれ形成されたアパーチャ内に保持され、シャフト１８４、１９０がアパーチャ内で回転できるようになる。反力部材１６０に連結が形成されると回転を生じさせ、シャフト１８４、１９０の回転を引き起こすことになる。しかしながら、アパーチャ内でシャフト１８４、１９０の末端部分を拘束することにより、反力トルクが抑制される。反力部材１６０は、球面継手１８６、１８８によって各ローラ１２０、１２２の中心に動作可能に連結され、反力トルクをローラ１２０、１２２から反力部材１６０に伝達し、また、ローラ１２０、１２２と反力部材１６０との間の相対的な枢動を可能にし、変速機主軸に対するローラの半径方向揺動を可能にする。従って、反力部材は、トロイドにおけるローラの円周方向位置を定める。反力部材１６０は、ディスクの回転中のディスク／ローラ接触から生じてこれにより変速機比を変化させる反力トルクに応答して変速機軸線の周りに回転するよう装着される。この構成により、ローラペアが移動するときにローラがトロイドの周りを円周方向に移動し、反力を均一にすることができるようになる。反力部材は、変速機軸線の方向の揺動を有し、端部荷重の印加に起因した撓みに対処することができる。
【００６０】
制御部材１７４は、アパーチャ１９２にて反力部材１６０を通過するが、アパーチャには連結されない。反力トルクが担われて反力部材が変速機軸線の周りを回転するときの汚損を避けるために、制御部材１７４とアパーチャ１９２との間には適切に十分なクリアランスが存在する。
【００６１】
反力部材１６０は、変速機軸線の半径方向に移動可能であり、また反力部材１６０がトロイダルキャビティ内で各ローラ１２０、１２２によって発生される反力荷重を平衡させるように非半径方向にも移動することができる。
【００６２】
反力部材１６０は、例えば、変速機軸線に対して半径方向で本体１８０の移動を減衰させるダンパーを含むことができる。機械的な端部ストップを設け、変速機軸線に対して半径方向での反力部材１６０の移動を制限することができる。図７は、本発明を具現化する２連キャビティ変速機の一部を示している。変速機は、入力レース２１０と、該入力レース２１０の対向する側部に変速機軸線の方向で配置された類似の第１及び第２の出力レース２１４（１つのみを図示）とを備える。各出力レース２１４は、入力レース２１０に面する作動面２１６を有する。入力レース２１０は、第１及び第２の出力レース２１４にそれぞれ面する第１及び第２の作動面２１２を有する。従って、２つのトロイダルキャビティが定められ、第１が入力レース２１０と第１の出力レース２１４の間、第２が入力レース２１０と第２の出力レースとの間にある。
【００６３】
第１のセットのローラ２２０、２２２が第１のトロイダルキャビティ内に設けられ、入力レース２１０と第１の出力レースとの間で駆動力を伝達し、第２のセットのローラ２２０’、２２２’が第２のトロイダルキャビティ内に設けられ、入力レース２１０と第２の出力レース２１４との間で駆動力を伝達する。ローラ２２０、２２２；２２０’、２２２’が、それぞれのキャリッジ組立体２２４、２２６；２２４’、２２６’上に装着される。各キャリッジ組立体は、キャリア２６６及び装着部２７０を備える。ローラ２２０は、キャリア２６６上で回転するよう装着される。キャリアは、装着部２７０に接続され、傾転運動を受けてローラ２２０、２２２；２２０’、２２２’の傾転角を変化させ、これにより変速機比を自在に変えるようになる。それぞれのキャリッジ組立体２２４、２２６；２２４’、２２６’は、それぞれのローラの中心を通る軸線の周りで枢動するように装着される。
【００６４】
それぞれの油圧アクチュエータ２８０、２８０’が各キャビティと関連付けられる。各アクチュエータ２８０、２８０’は、変速機のケーシング２００に固定されるシリンダ２８２、２８２’と、シリンダ２８２、２８２’に油圧流体を好適に適用することによりシリンダの内外に線形駆動することができるアクチュエータロッド２８４、２８４’とを備える。
【００６５】
各キャビティ内では、２つのキャリッジ組立体２２４、２２６；２２４’、２２６’の装着部２７０は、共通の制御ロッド２７４、２７４’に接続され、その結果、キャリッジ組立体が線形移動に抗して制御ロッドに固定されるが、制御ロッドに対して枢動できるようになる。各制御ロッド２７４、２７４’は、制御ロッドとアクチュエータロッドとの間の枢動を許容する継手２８８、２８８’を通じてそれぞれのアクチュエータロッド２８４、２８４’に接続される。すなわち、アクチュエータ２８４、２８４’の作動は、制御ロッド２７４、２７４’の線形移動、従って、キャリッジ組立体２２４、２２６；２２４’、２２６’の線形移動を引き起こす。
【００６６】
各キャビティは、ローラ２２０、２２２；２２０’、２２２’が球面継手により動作可能に連結される反力部材２６０、２６０’を有し、上述の実施形態の構成と実質的に同様の反力部材が、それぞれのローラから生じる反力荷重を担うようになる。上述の実施形態と同様に、各反力部材２６０、２６０’は、反力シャフトを有し、そのうちの１つの末端部分が、変速機のケーシング２００のアパーチャ内に保持される。他の反力シャフトは、制御ロッド２７４、２７４’が通過するアパーチャを有するヨーク２８６、２８６’によって固定される。
【００６７】
反力部材２６０、２６０’は、荷重分散組立体によって動作可能に連結される。荷重分散組立体は、枢動点２９２によりケーシング２８６に装着されるバー２９０を備える。バー２９０は、枢動点２９２により対称的にヨーク２８６、２８６’に枢動可能に接続される。従って、反対向きの等しい力がヨークを通じて各反力部材に加えられ、これにより等しい反力トルクが２つのトロイダルキャビティ内のローラ２２０、２２２；２２０’、２２２’に確実に加わるようになる。
【００６８】
図８〜１０は、本発明の別の実施形態を示している。変速機は、入力レース３１０と、該入力レース３１０の対向する側部に変速機軸線の方向で配置された類似の第１及び第２の出力レース３１４（１つのみを図示）とを備える。レースによって定められる２つのトロイダルキャビティの各々内には、３つのローラ３２０、３２２、３２４；３２０’、３２２’（ローラの１つは図面には図示されていない）がある。
【００６９】
変速機は、各キャビティ内に反力部材３６０、３６０’を備える。反力部材３６０、３６０’は、変速機のケーシング３００上に枢動可能に装着されたバー３９０を含む荷重平衡組立体によって互いに連結され、各に反力部材３６０は、枢動点３９２の周りで対称的にバー３９０に枢動可能に接続される。
【００７０】
各ローラ３２０、３２２、３２４；３２０’、３２２’は、それぞれのキャリッジ組立体３２６、３２８、３３０；３２６’、３２８’、３３０’によって回転するよう担持される。各キャリッジ組立体３２６、３２８、３３０；３２６’、３２８’、３３０’は、キャリア３６６及び装着部３７０を備える。ローラ３２０は、キャリア３６６上で回転するよう装着される。装着部３７０に接続され、傾転運動を受けてローラ３２０、３２２、３２４；３２０’、３２２’の傾転角を変化させ、これにより変速機比を自在に変えるようになる。制御ペグ３７２は、各装着部から突出する。
【００７１】
環状制御部材３４０、３４０’が各キャビティ内に設けられる。各制御部材３４０、３４０’は、３つの半径方向スロット３４２を有し、その各々に制御ペグ３７２の１つが受けられる。変速機は更に、各キャビティと関連付けられる油圧アクチュエータを含む。各アクチュエータは、変速機のケーシング３００に固定されるシリンダ３８２、３８２’と、シリンダ３８２に油圧流体を好適に適用することによりシリンダの内外に線形駆動することができるアクチュエータロッド３８４（１つだけが図で見える）とを備える。各アクチュエータロッド３８４は、枢動点３４４、３４４’によりそれぞれの制御部材３４０、３４０’に接続される。この構成に関して、油圧アクチュエータの作動により制御部材３４０、３４０’が回転し、これにより制御ペグ３７０の移動及びひいてはそれぞれの装着部３７０上でのキャリア３６６上の回転が生じる。
【００７２】
図１１及び１２において、反力部材４６０は、所定レベルを上回る反力トルクに応答して変速機軸線の周りで回転するよう装着される。反力部材４６０は、アパーチャ４８２を有する本体４８０を備え、このアパーチャを通って変速機入力シャフト及び／又は出力シャフトがクリアランスを有して通ることができる。反力シャフト４８４、４９０は、本体４８０から反対の方向に同軸で突出し、変速機の中心面内で変速機軸線に垂直に整列される。第２の実施形態と同様に、反力シャフト４９０の１つは、ヨーク４８６を通じてアクチュエータ４８０に接続される。他の反力シャフト４９０は、弾性装着組立体４３０に連結される。
【００７３】
この実施形態において、弾性装着組立体４３０は、反力シャフト４９０が接続される支持バー４３２と、変速機のケーシングに接続されるクレードル４３４とを含む。支持バー４３２は、反力シャフト４９０が反力トルクを加える圧縮バネ４３６によりクレードル内に保持される。反力トルクは、支持バー４３２上での連結をもたらし、その回転が反力シャフト４９０の伝達を変位させる。バネ４３６は、特定の閾値を超える力が加わったときに撓むように設定することができる。与えられた力を検出し、これを利用して制御部材７０への入力信号を提供することができ、その結果、例えば、制御部材は、検出された反力トルクを低減するよう機能し、これにより変速機に入るトルクを低減する働きをするようになる。
【００７４】
これらの実施形態の各々において、転動要素を傾斜させようとする変速機の作動は、転動要素の実質的又は完全に半径方向外向きで起こるであることが分かるであろう。従って、作動の実施に関与している構成要素は、転動要素間のスペースへの侵入が最小であるか、又は侵入がない。これらの実施形態の各々において、転動要素を傾斜させようとする変速機の作動は、変速機軸線に平行な方向でレースを越えて延びないスペース内で起こる。変速機が大型の変速システムの一部として使用される場合には、構成要素をパッケージングすることができる、変速機軸線の方向でのレースを越えて利用できるスペースはほとんど又は全く無いことが多い。加えて、各実施形態において、その周りに傾斜回転が起こる軸線は、シャフトなどの物理的構成要素と一致しておらず、傾転軸から遠隔にある構成要素（作動点及び反力点）によってキャリアの運動時に加わる制約により定められる。
【符号の説明】
【００７５】
１０  入力レース
１２  環状凹部
２０  ローラ
２２  ローラ
２６  ローラキャリッジ組立体
３０  ステム
３２  フォーク
４０  制御組立体
４２  スライダー
４４  固定部分
４８  アパーチャ
５０  反力面
５８  作動継手
６０  スロット
【図１】
2015505020.tif 000003
【図２】
2015505020.tif 000004
【図３】
2015505020.tif 000005
【図４】
2015505020.tif 000006
【図５】
2015505020.tif 000007
【図６】
2015505020.tif 000008
【図７】
2015505020.tif 000009
【図８】
2015505020.tif 000010
【図９】
2015505020.tif 000011
【図１０】
2015505020.tif 000012
【図１１】
2015505020.tif 000013
【図１２】
2015505020.tif 000014
【国際調査報告】
2015505020.tif 000015
2015505020.tif 000016